(57)【要約】【課題】異なる方式の情報が混在しても簡単な構成で処理する再生装置を提供する。【解決手段】画像情報や音楽情報を取得して適宜処理したの後に光ディスクやＨＤＤ３００に記録する。記録した画像情報を一覧表示する際に、画像データの記録と同時に記録したデータ方式の情報に基づいてデコーダ４８０およびＡＶプロセッサ４６０などでサムネイル画像情報を生成する。画像データ毎に記憶されているデータ方式の情報が表示装置による表示可能なデータ方式と同一のデータ方式の場合はサムネイル一覧表示画面に表示させ、データ方式が異なる場合は表示できない旨の無効画像データを表示させる。データ方式が異なる情報が記録されていても、簡単な構成で一覧表示ができる。【選択図】  図１
2005070858.tif 000002
【特許請求の範囲】
【請求項１】
情報を出力可能に処理する情報処理装置であって、
前記情報に関連付けられた特定画像データを取得する特定画像データ取得手段と、
前記特定画像データのデータ方式を判別するデータ方式判別手段と、
前記取得した複数の特定画像データのうち、いずれかのデータ方式のみを表示手段に一覧表示させる一覧表示制御手段と、
を具備したことを特徴とした情報処理装置。
【請求項２】
情報を出力可能に処理する情報処理装置であって、
前記情報に関連付けられた特定画像データを取得する特定画像データ取得手段と、
前記特定画像データのデータ方式を判別するデータ方式判別手段と、
前記取得した複数の特定画像データのうち、いずれかのデータ方式の前記特定画像データを表示手段に一覧表示させる一覧表示制御手段と、
を具備し、
前記一覧表示制御手段は、前記表示手段にて一覧表示させる特定画像データのデータ方式と異なるデータ方式の特定画像データを、前記表示手段にて表示できない旨を表示する無効画像データとして、前記表示手段にて表示される特定画像データとともに一覧表示させる
ことを特徴とした情報処理装置。
【請求項３】
請求項１または請求項２に記載の情報処理装置であって、
前記特定画像データ取得手段にて取得する前記特定画像データを記憶する記憶手段を具備した
ことを特徴とした情報処理装置。
【請求項４】
請求項１ないし請求項３のいずれかに記載の情報処理装置であって、
前記表示手段にて一覧表示される前記特定画像データの少なくともいずれか１つを選択する入力手段と、
前記選択された特定画像データが関連付けられた前記情報を取得する情報取得手段と、
前記取得した情報を出力手段にて出力可能に処理する処理手段と、
を具備したことを特徴とした情報処理装置。
【請求項５】
請求項２ないし請求項４のいずれかに記載の情報処理装置であって、
前記一覧表示制御手段は、前記特定画像データ取得手段にて取得する前記特定画像データの数を認識する画像数認識手段と、この画像数認識手段にて認識した数に対応して前記表示手段に前記特定画像データを表示させる表示領域を設定する表示領域設定手段と、前記表示手段にて一覧表示させる特定画像データ以外の特定画像データに対応する前記表示領域に前記無効画像データを表示させる置換手段と、を備えた
ことを特徴とした情報処理装置。
【請求項６】
請求項２ないし請求項５のいずれかに記載の情報処理装置であって、
前記無効画像データは、あらかじめ設定された画像データである
ことを特徴とした情報処理装置。
【請求項７】
請求項２ないし請求項６のいずれかに記載の情報処理装置であって、
前記データ方式判別手段による判別に基づいて前記無効画像データを生成する無効画像データ生成手段を具備し、
前記一覧表示制御手段は、前記無効画像データ生成手段にて生成した無効画像データを、前記表示手段に表示させる前記特定画像データのデータ方式と異なるデータ方式に対応する特定画像データに代えて、前記表示手段に表示される前記特定画像データとともに一覧表示させる
ことを特徴とした情報処理装置。
【請求項８】
請求項２ないし請求項７のいずれかに記載の情報処理装置であって、
前記データ方式判別手段は、前記特定画像データにおける前記表示手段にて表示させるためのデータ構造をデータ方式として判別する
ことを特徴とした情報処理装置。
【請求項９】
請求項２ないし請求項７のいずれかに記載の情報処理装置であって、
前記データ方式判別手段は、前記特定画像データの放送方式をデータ方式として判別する
ことを特徴とした情報処理装置。
【請求項１０】
請求項２ないし請求項７のいずれかに記載の情報処理装置であって、
前記データ方式判別手段は、前記特定画像データの表示ライン数を認識してデータ方式を判別する
ことを特徴とした情報処理装置。
【請求項１１】
請求項２ないし請求項７のいずれかに記載の情報処理装置であって、
前記データ方式判別手段は、前記特定画像データの色信号方式を認識してデータ方式を判別する
ことを特徴とした情報処理装置。
【請求項１２】
請求項２ないし請求項１１のいずれかに記載の情報処理装置と、
この情報処理装置にネットワークを介して送受信可能に接続された所望の情報を前記情報処理装置へ送出するホスト装置と、
を具備したことを特徴とした情報処理システム。
【請求項１３】
情報を記憶する記憶手段および前記情報をネットワークへ送出する送出手段を備えたホスト装置と、
前記ネットワークへ送出された情報に関連付けられた特定画像データを取得する特定画像データ取得手段、前記特定画像データのデータ方式を判別するデータ方式判別手段、および、前記取得した複数の特定画像データのうちのいずれかのデータ方式の前記特定画像データを表示手段にて一覧表示させる一覧表示制御手段を備えた端末装置と、
を具備し、
前記一覧表示制御手段は、前記表示手段にて一覧表示させる特定画像データのデータ方式と異なるデータ方式の特定画像データを、前記表示手段にて表示できない旨を表示する無効画像データとして、前記表示手段にて表示される特定画像データとともに前記無効画像データを一覧表示させる
ことを特徴とした情報処理システム。
【請求項１４】
情報を記憶する記憶手段および前記情報をネットワークへ送出する送出手段を備えたホスト装置と、
前記ネットワークへ送出された情報を取得する情報取得手段、前記情報の内容を表し前記情報のデータ方式と同一のデータ方式の特定画像データを生成する特定画像データ生成手段、および前記特定画像データ生成手段にて生成される前記特定画像データを表示手段にて一覧表示させる一覧表示制御手段を備えた端末装置と、
を具備し、
前記一覧表示制御手段は、前記表示手段にて一覧表示させる特定画像データのデータ方式と異なるデータ方式の特定画像データを、前記表示手段にて表示できない旨を表示する無効画像データとして、前記表示手段にて表示される特定画像データとともに前記無効画像データを一覧表示させる
ことを特徴とした情報処理システム。
【請求項１５】
請求項１３または請求項１４に記載の情報処理システムであって、
前記端末装置は、所定の入力操作により前記表示手段にて一覧表示される前記特定画像データのうちの少なくともいずれか１つを選択する入力手段を具備し、
この選択した前記特定画像データが関連付けられた前記情報が、ネットワークを介してホスト装置から受信される
ことを特徴とした情報処理システム。
【請求項１６】
情報を出力可能に処理する情報処理方法であって、
前記情報に関連付けられた特定画像データを複数取得し、
これら取得した特定画像データのデータ方式を判別し、
前記取得した特定画像データのうちのいずれかのデータ方式を表示手段に一覧表示させる
ことを特徴とする情報処理方法。
【請求項１７】
請求項１６に記載の情報処理方法であって、
前記特定画像データのデータ方式を判別した後に、前記表示手段にて表示させる前記特定画像データのデータ方式と異なるデータ方式の情報に対し、前記表示手段に表示できない旨を示す無効画像データを関連付け、
前記特定画像データと前記無効画像データとを表示手段に一覧表示させる
ことを特徴とする情報処理方法。
【請求項１８】
請求項１６または請求項１７に記載の情報処理方法を演算手段に実行させる
ことを特徴とした情報処理プログラム。
【請求項１９】
請求項１８に記載の情報処理プログラムが演算手段にて読み取り可能に記録された
ことを特徴とした情報処理プログラムを記録した記録媒体。
【請求項２０】
表示手段と、
この表示手段に対して特定画像データを一覧表示させる請求項１ないし請求項１０のいずれかに記載の情報処理装置と、
を具備したことを特徴とした再生装置。
【発明の詳細な説明】
【０００１】
【発明の属する技術分野】
本発明は、情報を出力可能に処理する情報処理装置、情報処理システム、その方法、そのプログラム、そのプログラムを記録した記録媒体、および、再生装置に関する。
【０００２】
【従来技術】
従来、動画像情報などの画像データをハードディスク（ＨＤＤ：Ｈａｒｄ  Ｄｉｓｋ  Ｄｒｉｖｅ）や光ディスクなどの記録媒体に読み出し可能に記録する記録装置が広く利用されている。また、記録媒体に記録された動画像情報などの画像データを再生する場合、あらかじめ複数記録されている画像データの内容を代表する静止画像（サムネイル画像とも称する）を、各画像データ毎に表示装置に一覧表示する構成が知られている（例えば、特許文献１参照）。
【０００３】
この特許文献１に記載のものは、米国テレビ方式委員会が決めたカラーテレビジョン方式であるいわゆるＮＴＳＣ（Ｎａｔｉｏｎａｌ  Ｔｅｌｅｖｉｓｉｏｎ  Ｓｙｓｔｅｍ  Ｃｏｍｍｉｔｔｅｅ：）方式の画像データを表示する液晶パネルに、異なるカラーテレビジョン方式のいわゆるＰＡＬ（Ｐｈａｓｅ  Ａｌｔｅｒｎａｔｉｏｎ  ｂｙ  Ｌｉｎｅ）の画像データを表示させる際に、ライン間引きを液晶パネルの表示領域に合わせて表示させる構成が採られている。
【０００４】
【特許文献１】
特開２００２−２１８２８５号公報（第３頁左欄−第５頁左欄、図２）
【０００５】
【発明が解決しようとする課題】
ところで、記録媒体に異なる方式の画像データが記録されている場合、これら画像データのサムネイル画像を表示装置に一覧表示させる際には、例えば特許文献１に記載のように、表示させる表示領域毎にサムネイル画像をライン間引き処理することが考えられる。しかしながら、表示装置の表示領域内で画像データのライン間引き処理を実施する場合に比して、１つの表示領域内に、複数の方式の異なるサムネイル画像を適宜ライン間引き処理して表示させる処理がより煩雑となり、構成が複雑化し、製造性の低下やコストの増大などを生じるおそれがある問題が一例として挙げられる。
【０００６】
本発明は、そのような点を一つの課題として捉え、異なる方式の情報が混在しても、簡単な構成で処理する情報処理装置、情報処理システム、情報処理方法、そのプログラム、そのプログラムを記録した記録媒体、および再生装置を提供することを目的とする。
【０００７】
【課題を解決するための手段】
請求項１に記載の発明は、情報を出力可能に処理する情報処理装置であって、前記情報に関連付けられた特定画像データを取得する特定画像データ取得手段と、前記特定画像データのデータ方式を判別するデータ方式判別手段と、前記取得した複数の特定画像データのうち、いずれかのデータ方式のみを表示手段に一覧表示させる一覧表示制御手段と、を具備したことを特徴とした情報処理装置である。
【０００８】
請求項２に記載の発明は、情報を出力可能に処理する情報処理装置であって、前記情報に関連付けられた特定画像データを取得する特定画像データ取得手段と、前記特定画像データのデータ方式を判別するデータ方式判別手段と、前記取得した複数の特定画像データのうち、いずれかのデータ方式の前記特定画像データを表示手段に一覧表示させる一覧表示制御手段と、を具備し、前記一覧表示制御手段は、前記表示手段にて一覧表示させる特定画像データのデータ方式と異なるデータ方式の特定画像データを、前記表示手段にて表示できない旨を表示する無効画像データとして、前記表示手段にて表示される特定画像データとともに一覧表示させることを特徴とした情報処理装置である。
【０００９】
請求項１２に記載の発明は、請求項２ないし請求項１１のいずれかに記載の情報処理装置と、この情報処理装置にネットワークを介して送受信可能に接続された所望の情報を前記情報処理装置へ送出するホスト装置と、を具備したことを特徴とした情報処理システムである。
【００１０】
請求項１３に記載の発明は、情報を記憶する記憶手段および前記情報をネットワークへ送出する送出手段を備えたホスト装置と、前記ネットワークへ送出された情報に関連付けられた特定画像データを取得する特定画像データ取得手段、前記特定画像データのデータ方式を判別するデータ方式判別手段、および、前記取得した複数の特定画像データのうちのいずれかのデータ方式の前記特定画像データを表示手段にて一覧表示させる一覧表示制御手段を備えた端末装置と、を具備し、前記一覧表示制御手段は、前記表示手段にて一覧表示させる特定画像データのデータ方式と異なるデータ方式の特定画像データを、前記表示手段にて表示できない旨を表示する無効画像データとして、前記表示手段にて表示される特定画像データとともに前記無効画像データを一覧表示させることを特徴とした情報処理システムである。
【００１１】
請求項１４に記載の発明は、情報を記憶する記憶手段および前記情報をネットワークへ送出する送出手段を備えたホスト装置と、前記ネットワークへ送出された情報を取得する情報取得手段、前記情報の内容を表し前記情報のデータ方式と同一のデータ方式の特定画像データを生成する特定画像データ生成手段、および前記特定画像データ生成手段にて生成される前記特定画像データを表示手段にて一覧表示させる一覧表示制御手段を備えた端末装置と、を具備し、前記一覧表示制御手段は、前記表示手段にて一覧表示させる特定画像データのデータ方式と異なるデータ方式の特定画像データを、前記表示手段にて表示できない旨を表示する無効画像データとして、前記表示手段にて表示される特定画像データとともに前記無効画像データを一覧表示させることを特徴とした情報処理システムである。
【００１２】
請求項１６に記載の発明は、情報を出力可能に処理する情報処理方法であって、前記情報に関連付けられた特定画像データを複数取得し、これら取得した特定画像データのデータ方式を判別し、前記取得した特定画像データのうちのいずれかのデータ方式を表示手段に一覧表示させることを特徴とする情報処理方法である。
【００１３】
請求項１８に記載の発明は、請求項１６または請求項１７に記載の情報処理方法を演算手段に実行させることを特徴とした情報処理プログラムである。
【００１４】
請求項１９に記載の発明は、請求項１８に記載の情報処理プログラムが演算手段にて読み取り可能に記録されたことを特徴とした情報処理プログラムを記録した記録媒体である。
【００１５】
請求項２０に記載の発明は、表示手段と、この表示手段に対して特定画像データを一覧表示させる請求項１ないし請求項１０のいずれかに記載の情報処理装置と、を具備したことを特徴とした再生装置である。
【００１６】
【発明の実施の形態】
以下に、本発明の一実施の形態を図面を参照して説明する。この一実施の形態では、記録媒体としてハードディスク（ＨＤ：Ｈａｒｄ  Ｄｉｓｋ）や光ディスクなどに記録された情報、例えば動画像情報などのコンテンツデータなどを再生処理する再生装置について説明する。なお、本発明は、対象となる記録媒体はＨＤや光ディスクに限ることなく、例えばメモリカードなど様々な記録メディアも適用可能である。また、動画像情報などの画像データを再生される処理に限らず、いずれの情報を出力可能に処理するいずれの構成が対象となる。さらに、画像情報について作成したサムネイル画像を一覧表示させる構成について説明するが、他のいずれの情報についてサムネイル画像を一覧表示させることができる。また、サムネイル画像は、画像情報を構成する一部の画像データに限らず、画像情報に基づいて新たに作成したサムネイル画像やあらかじめサムネイル画像を有した状態で画像情報を取得する構成、ＤＶＤ−ＲＯＭ（Ｄｉｇｉｔａｌ  Ｖｅｒｓａｔｉｌｅ  Ｄｉｓｃ  −  Ｒｅａｄ  Ｏｎｌｙ  Ｍｅｍｏｒｙ）などのようにあらかじめ画像情報およびサムネイル画像を有したものから画像情報を再生処理する構成などについても対象となる。
【００１７】
〔再生装置の構成〕
以下、再生装置の概略構成について図１を用いて説明する。図１は、本発明の一実施の形態における再生装置の概略構成を示すブロック図である。
【００１８】
図１において、１００は再生装置で、この再生装置１００は、上述したように、記録媒体としてのＨＤや光ディスクに記録された情報である動画像情報などの画像データや音声データ、あるいは、外部から取得した情報である画像データや音声データを再生処理するとともに、動画像情報などの画像データや音声データの内容に関する代表する静止画像、すなわち画像データである特定画像データとしてのいわゆるサムネイル画像を再生処理、すなわち一覧表示する。この再生装置１００は、記憶手段としての光ディスクドライブ２００と、記憶手段としてのハードディスクドライブ（ＨＤＤ：Ｈａｒｄ  Ｄｉｓｋ  Ｄｒｉｖｅ）３００と、図示しない出力手段を構成する表示手段としての表示装置と、図示しない出力手段を構成する発音手段と、情報処理装置４００と、を備えている。
【００１９】
光ディスクドライブ２００は、例えばＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｃ）などの記録媒体である図示しない光ディスクが着脱可能に装着され、光ディスクに対して光学的に各種情報を記録したり、読み取りを行う。この光ディスクドライブ２００は、情報処理装置４００に接続され、情報処理装置４００から出力される情報を取得して光ディスクに適宜記録するとともに、光ディスクから読み取った情報を情報処理装置４００へ適宜出力する。なお、この光ディスクドライブ２００は、記録された情報を読み取るのみの読取専用の構成のものでもよい。
【００２０】
ＨＤＤ３００は、記録媒体としての磁気ディスクである図示しないハードディスク（以下、ＨＤと記す）を備え、このＨＤに対して磁気的に各種情報を記録しまたは読み取りを行う。このＨＤＤは、情報処理装置４００に接続され、情報処理装置４００から出力される情報を取得してＨＤに適宜記録するとともに、ＨＤから読み取った情報を情報処理装置４００へ適宜出力する。
【００２１】
ここで、光ディスクおよびＨＤに、楽曲などの音声データや、映画や放送などの画像データなどの所定の情報が記録される場合、いわゆるタイトルと称される一纏まりの音声データや画像データ（画像情報）毎に識別可能に記録される。なお、タイトルとしては、例えば音声データおよび画像情報の双方を含む映画１本が１つのタイトルに相当する場合、あるいは一連の静止画像群が１つのタイトルに相当する場合、もしくは音楽情報における１つの楽曲が１つのタイトルに相当する場合などが例示できる。また、画像情報の記録時において、各タイトル毎にそのタイトルに含まれる静止画像のうち、例えばタイトルの内容を端的に表す静止画像があらかじめ指定されており、この静止画像がいわゆるサムネイル画像あるいは画像の時間軸的位置情報として画像情報と併せて記録される。
【００２２】
表示装置は、情報処理装置４００に接続され、情報処理装置４００から出力される各種画像情報を取得し、取得した画素情報を画像として再生、すなわち表示する。この表示装置としては、種々のディスプレイが挙げられ、例えば液晶表示パネルや有機ＥＬ（Ｅｌｅｃｔｒｏ  Ｌｕｍｉｎｅｓｃｅｎｃｅ）パネル、ＰＤＰ（Ｐｌａｓｍａ  Ｄｉｓｐｌａｙ  Ｐａｎｅｌ）、ＣＲＴ（Ｃａｔｈｏｄｅ−Ｒａｙ  Ｔｕｂｅ）、ＦＥＤ（Ｆｉｅｌｄ  Ｅｍｉｓｓｉｏｎ  Ｄｉｓｐｌａｙ）、電気泳動ディスプレイパネルなどが例示できる。
【００２３】
発音手段は、情報処理装置４００に接続され、情報処理装置４００から出力される各種音楽情報などの音声データを取得し、取得した音声データを音楽や音声として再生、すなわち発音する。この発音手段は、例えば情報処理装置４００に接続され情報処理装置４００から出力される音声データを増幅処理する増幅器と、この増幅器に接続され増幅された音声データを音声として出力するスピーカとを備えた構成が例示できる。なお、本発明の出力手段は、表示装置および発音手段にて構成され、例えば表示装置と発音手段とが一体化したテレビジョン装置なども対象となる。また、表示装置のみを出力手段として構成してもよい。
【００２４】
情報処理装置４００は、音楽情報などの音声データや画像情報を取得し、これら音声データや画像情報を発音手段や表示装置にて出力可能に処理するとともに、サムネイル画像を表示装置に一覧表示させる処理をする。この情報処理装置４００は、情報取得手段およびデータ方式判別手段としても機能する画像デコーダ４１０と、Ａ／Ｄ（Ａｎａｌｏｇ／Ｄｉｇｉｔａｌ）コンバータ４２０と、画像エンコーダ４３０と、Ｄ／Ａ（Ｄｉｇｉｔａｌ／Ａｎａｌｏｇ）コンバータ４４０と、複数のメモリ４５１，４５２，４５３，４５４，４５５と、特定画像データ生成手段、一覧表示制御手段、表示領域設定手段および置換手段としても機能するＡＶ（Ａｕｄｉｏ−Ｖｉｄｅｏ）プロセッサ４６０と、エンコーダ４７０と、特定画像データ取得手段としても機能するデコーダ４８０と、特定画像データ取得手段および情報取得手段として機能するインターフェース４９０と、一覧表示制御手段、画像数認識手段および演算手段としても機能するＣＰＵ（Ｃｅｎｔｒａｌ  Ｐｒｏｃｅｓｓｉｎｇ  Ｕｎｉｔ）５００と、を備えている。なお、画像エンコーダ４３０、Ｄ／Ａコンバータ４４０、ＡＶプロセッサ４６０、デコーダ４８０およびＣＰＵ５００により本発明の処理手段が構成される。
【００２５】
画像デコーダ４１０は、ＣＰＵ５００およびＡＶプロセッサ４６０に接続されている。そして、画像デコーダ４１０は、ＣＰＵ５００の制御により、情報処理装置４００に設けられた図示しない画像入力端子にアナログ信号として入力される入力画像情報Ｓｖｉｎをデジタル信号に変換する。さらに、画像デコーダ４１０は、ＣＰＵ５００の制御により、入力画像情報Ｓｖｉｎをあらかじめ設定された復号処理し、デジタル画像情報Ｓｖｄを生成してＡＶプロセッサ４６０へ出力する。
【００２６】
なお、画像デコーダ４１０は、デジタル信号の変換時や復号処理時などのデコード処理時に画像情報のデータ方式を認識し、データ方式に対応してデコード処理する。この認識するデータ方式としては、例えば米国テレビ方式委員会が決めたカラーテレビジョン方式で走査線が５２５本のいわゆるＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式、カラーテレビジョン方式で走査線が６２５本のいわゆるＰＡＬ（Ｐｈａｓｅ  Ａｌｔｅｒｎａｔｉｏｎ  ｂｙ  Ｌｉｎｅ）、カラーテレビジョン方式でＰＡＬとはカラー信号が異なる走査線が６２５本のＳＥＣＡＭ（Ｓｅｑｕｅｎｔｉａｌ  Ｃｏｌｏｒ  ａｎｄ  Ｍｅｍｏｒｙ）方式などのいずれの放送方式や、一般的な地上放送波アナログ方式かハイビジョン方式か地上波デジタル方式かなど、またはサムネイル画像の表示ライン数、サムネイル画像を表示させる色に関する色信号などに基づいてデータ方式を認識する。
【００２７】
Ａ／Ｄコンバータ４２０は、ＣＰＵ５００およびＡＶプロセッサ４６０に接続されている。そして、Ａ／Ｄコンバータ４２０は、ＣＰＵ５００の制御により、情報処理装置４００に設けられた図示しない音声入力端子からアナログ信号として入力される入力音楽情報Ｓａｉｎをデジタル信号に変換し、デジタル音楽情報ＳａｄとしてＡＶプロセッサ４６０へ出力する。
【００２８】
画像エンコーダ４３０は、ＣＰＵ５００およびＡＶプロセッサ４６０に接続されている。そして、画像エンコーダ４３０は、ＣＰＵ５００の制御により、ＡＶプロセッサ４６０から出力される処理画像情報Ｓｖｄｄや後述するサムネイル画像情報あるいは無効画像データを取得し、これら処理画像情報Ｓｖｄｄやサムネイル画像情報、無効画像データに対してあらかじめ設定されたフォーマット変換処理およびアナログ化処理などを実施し、アナログ信号の出力画像情報Ｓｖｏｕｔを生成する。この生成した出力画像情報Ｓｖｏｕｔは、情報処理装置４００に設けられた図示しない画像出力端子へ出力され、この画像出力端子に接続された表示装置で画像として再生、すなわち表示される。
【００２９】
Ｄ／Ａコンバータ４４０は、ＣＰＵ５００およびＡＶプロセッサ４６０に接続されている。そして、Ｄ／Ａコンバータ４４０は、ＣＰＵ５００の制御により、ＡＶプロセッサ４６０から出力される処理音楽情報Ｓａｄｄを取得し、この処理音楽情報Ｓａｄｄに対してアナログ化処理などを実施し、アナログ信号の出力音楽情報Ｓａｏｕｔを生成する。この生成した出力音楽情報Ｓａｏｕｔは、情報処理装置４００に設けられた図示しない音楽出力端子へ出力され、この音楽出力端子に接続された発音手段で音楽として再生、すなわち音声として出力される。具体的には、音楽出力端子に接続され出力音楽情報Ｓａｏｕｔを増幅器にて増幅処理し、この増幅された出力音楽情報Ｓａｏｕｔをスピーカにて音声として出力する。
【００３０】
ＡＶプロセッサ４６０は、揮発性のメモリ４５１が接続され、このメモリ４５１との間でメモリ信号Ｓｍ３として必要な情報を授受する。また、ＡＶプロセッサ４６０には、ＣＰＵ５００、画像デコーダ４１０およびＡ／Ｄコンバータ４２０が接続されている。そして、ＡＶプロセッサ４６０は、ＣＰＵ５００からの制御信号Ｓｃ４に基づいて、画像デコーダ４１０から出力されるデジタル画像情報ＳｖｄおよびＡ／Ｄコンバータ４２０から出力されるデジタル音楽情報Ｓａｄを取得し、あらかじめ設定された前処理を実施し、それぞれ処理画像情報Ｓｐｖおよび処理音楽情報Ｓｐａとして出力する。さらに、ＡＶプロセッサ４６０は、デコーダ４８０、画像エンコーダ４３０およびＤ／Ａコンバータ４４０が接続されている。そして、ＡＶプロセッサ４６０は、ＣＰＵ５００からの制御信号Ｓｃ４に基づいて、デコーダ４８０から出力される復号画像情報Ｓｖｐ、復号音楽情報Ｓａｐおよび復号サムネイル画像情報を取得し、あらかじめ設定された後処理を実施し、処理画像情報Ｓｖｄｄ、処理音楽情報Ｓａｄｄおよびサムネイル画像情報を生成する。そして、ＡＶプロセッサ４６０は、これら生成した処理画像情報Ｓｖｄｄ、処理音楽情報Ｓａｄｄおよびサムネイル画像情報をそれぞれ画像エンコーダ４３０およびＤ／Ａコンバータ４４０へ出力する。
【００３１】
また、ＡＶプロセッサ４６０は、ＣＰＵ５００からの制御信号Ｓｃ４に基づいて、デジタル画像情報Ｓｖｄあるいは処理画像情報Ｓｐｖからサムネイル画像情報を生成させる。この生成されるサムネイル画像情報は、例えば画像情報を構成する１つの画像データである静止画像を縮小編集することにより生成されたサムネイル画像に関する画像データである。なお、画像情報にあらかじめ含まれるサムネイル画像をそのまま利用するなどしてもよい。そして、サムネイル画像情報は、処理画像情報Ｓｐｖに関連付けられ、エンコーダ４７０へ出力される処理画像情報Ｓｐｖとともに一体的に出力される。
【００３２】
さらに、ＡＶプロセッサ４６０は、画像デコーダ４１０にてデコード処理する際に認識する画像情報のデータ方式に基づいて、無効画像データを生成する。この無効画像データは、その画像情報の内容にかかわらず、その画像情報のサムネイル画像を表示させることができない旨を表す表示形態の画像データである。なお、この無効画像データは、例えばメモリ４５５にあらかじめ記憶されたもの、単一の背景色（例えば黒色）となる画像データ、サムネイル画像を一覧表示させる一覧表示画面の背景色を透過させることによる表示形態、これらの組み合わせなど、画像情報の内容を表すサムネイル画像と異なることが認識可能ないずれの表示形態が利用できる。
【００３３】
また、ＡＶプロセッサ４６０は、メモリ４５１との間でメモリ信号Ｓｍ３として必要な情報を授受するとともに、ＣＰＵ５００からの制御信号Ｓｃ４に基づいて、詳細は後述するサムネイル画像を一覧表示させるためのフォーマットに基づいて、適宜サムネイル画像を組み合わせて図２に示すようなサムネイル一覧表示画面６００を生成する。そして、この生成したサムネイル一覧表示画面６００に関する情報を画像エンコーダ４３０へ適宜出力し、適宜処理して表示装置にて表示させる。すなわち、ＣＰＵ５００にて認識した表示させるサムネイル画像６０１の数に対応してサムネイル画像６０１を表示させるサムネイル表示領域６１０を設定し、このサムネイル表示領域６１０にサムネイル画像６０１や無効画像データ６０２を組み合わせてサムネイル一覧表示画面６００を生成する。
【００３４】
エンコーダ４７０は、揮発性のメモリ４５２が接続され、このメモリ４５２との間でメモリ信号Ｓｍ２として必要な情報を授受する。また、エンコーダ４７０には、ＣＰＵ５００、ＡＶプロセッサ４６０およびインターフェース４９０が接続されている。そして、エンコーダ４７０は、ＣＰＵ５００からの制御信号Ｓｃ２に基づいて、ＡＶプロセッサ４６０から出力される処理画像情報Ｓｐｖ、処理音楽情報Ｓｐａおよびサムネイル画像情報を取得し、必要な合成処理および設定されたフォーマットに則した符号化処理などを実施し、合成情報Ｓｍとしてインターフェース４９０へ出力する。
【００３５】
デコーダ４８０は、揮発性のメモリ４５３が接続され、このメモリ４５３との間でメモリ信号Ｓｍ４として必要な情報を授受する。また、デコーダ４８０には、ＣＰＵ５００、インターフェース４９０およびＡＶプロセッサ４６０が接続されている。そして、デコーダ４８０は、ＣＰＵ５００からの制御信号Ｓｃ３に基づいて、インターフェース４９０から出力される再生情報Ｓｐを取得し、再生情報Ｓｐを画像情報と音声データとサムネイル画像情報とに分離する分離処理、および、画像情報と音声データとサムネイル画像情報とのそれぞれに対する復号処理などを実施し、復号画像情報Ｓｖｐ、復号音楽情報Ｓａｐおよび復号サムネイル画像情報としてＡＶプロセッサ４６０へ出力する。なお、あらかじめサムネイル画像情報が再生情報Ｓｐとして取得した場合には、この再生情報Ｓｐを復号処理などのデコード処理をする。そして、サムネイル画像情報の生成は、デコーダ４８０あるいはＡＶプロセッサ４６０のいずれで生成してもよい。
【００３６】
インターフェース４９０は、揮発性のメモリ４５４が接続され、このメモリ４５４との間でメモリ信号Ｓｍ１として必要な情報を授受する。また、インターフェース４９０には、ＣＰＵ５００、エンコーダ４７０、デコーダ４８０、光ディスクドライブ２００およびＨＤＤ３００が接続されている。そして、インターフェース４９０は、ＣＰＵ５００からの制御信号Ｓｃ１に基づいて、エンコーダ４７０から出力される合成情報Ｓｍを取得し、光ディスクドライブ２００へ記録情報Ｓｐｄとして出力し、この記録情報Ｓｐｄを光ディスクドライブ２００にて装着された光ディスクに光学的に記録させる。さらに、インターフェース４９０は、ＣＰＵ５００からの制御信号Ｓｃ１に基づいて、エンコーダ４７０から出力される合成情報Ｓｍを取得し、ＨＤＤ３００へ記録情報Ｓｄｄとして出力し、この記録情報ＳｄｄをＨＤＤ３００にてＨＤに磁気的に記録させる。
【００３７】
また、インターフェース４９０は、ＣＰＵ５００からの制御信号Ｓｃ１に基づいて、光ディスクに記録されている画像情報や音声データを光ディスクドライブ２００にて読み取らせて記録情報Ｓｐｄとして取得する。さらに、インターフェース４９０は、ＣＰＵ５００からの制御信号Ｓｃ１に基づいて、ＨＤに記録されている画像情報や音声データをＨＤＤ３００にて読み取らせて記録情報Ｓｄｄとして取得する。そして、インターフェース４９０は、ＣＰＵ４００からの制御信号Ｓｃ１に基づいて、メモリ４５４との間でメモリ信号Ｓｍ１として必要な情報を授受しつつ記録情報Ｓｐｄまたは記録情報Ｓｄｄのいずれか一方を再生情報Ｓｐとしてデコーダ４８０へ出力する。
【００３８】
なお、インターフェース４９０において、合成情報Ｓｍを記録情報ｐｄあるいは記録情報Ｓｄｄに変換する処理は、例えば入力操作部の入力操作にて記録させる構成、すなわち光ディスクドライブ２００で記録するかＨＤＤ３００で記録させるかの入力操作に基づいて適宜設定される。また、インターフェース４９０にて取得する情報として、記録情報ｐｄあるいは記録情報Ｓｄｄの選択についても同様に、入力操作部の入力操作にて設定される。なお、サムネイル画像情報は、アクセス速度が比較的に速いＨＤＤ３００へ記録情報Ｓｄｄとして出力されることが好ましい。この際、画像情報に基づく合成情報Ｓｍが光ディスクドライブ２００へ記録される場合であっても、画像情報に関連付けられてＨＤＤ３００で記録されればよい。また、サムネイル画像情報は、光ディスクドライブ２００へ記録情報Ｓｐｄとして出力して記録させたり、双方にそれぞれ記録させてもよい。
【００３９】
メモリ４５５は、例えば不揮発性のもので、ＣＰＵ５００に接続されている。そして、メモリ４５５は、ＣＰＵ５００から出力されるメモリ信号Ｓｍ５を適宜出力可能に記憶する。さらに、メモリ４５５は、再生装置１００全体を動作制御するＯＳ（Ｏｐｅｒａｔｉｎｇ  Ｓｙｓｔｅｍ）上に展開される各種プログラムなどを記憶している。
【００４０】
ＣＰＵ５００は、メモリ４５５が接続され、このメモリ４５５との間でメモリ信号Ｓｍ５として必要な情報を授受する。また、ＣＰＵ５００は、入力手段としての図示しない入力操作部が接続され、入力操作部の所定の入力操作により出力される操作信号を取得し、各種制御内容が設定される。これら設定された制御内容に基づいて、ＣＰＵ５００は各制御信号Ｓｃ１，Ｓｃ２，Ｓｃ３，Ｓｃ４を適宜生成して出力する。また、ＣＰＵ５００には、各種プログラムとして、図示しない画像数認識手段などを備えている。
【００４１】
画像数認識手段は、光ディスクおよびＨＤに記録されているタイトル数、すなわち一覧表示させるサムネイル画像の数を認識する。具体的には、インターフェース４９０を制御して光ディスクドライブ２００およびＨＤＤ３００を適宜駆動させ、光ディスクおよびＨＤのタイトル数を認識する。この認識した数に関する情報は、適宜制御信号Ｓｃ４とともにＡＶプロセッサ４６０へ出力される。
【００４２】
（サムネイル一覧表示画面の構成）
次に、サムネイル一覧表示画面について図面を参照して説明する。図２は、表示装置に表示されるサムネイル一覧表示画面を示す概念図である。
【００４３】
図２において６００はサムネイル一覧表示画面の一例であり、このサムネイル一覧表示画面６００は、例えばあらかじめメモリ４５５に格納された一覧表示画面データに基づき、ＣＰＵ５００にて制御されたＡＶプロセッサ４６０により表示装置に表示される。このサムネイル一覧表示画面６００には、サムネイル画像６０１あるいは無効画像データ６０２を表示させるサムネイル表示領域６１０が複数設けられている。このサムネイル表示領域６１０には、各サムネイル表示領域６１０毎に所定の領域識別情報、例えば１からの通し番号などが関連付けられている。ここでは、本発明の一実施の形態として、上記したＮＴＳＣ方式とＰＡＬ方式に基づくサムネイルが一覧表示される画面を例とし、表示されるラインシステムが互いに異なる情報についてのサムネイル一覧表示画面について説明する。なお、図２においては、サムネイル表示領域６１０がＰＡＬ方式の情報に対応したサムネイル画像であり、無効画像データ６０２がＮＴＳＣ方式の情報に対応したサムネイル画像となっている。また、図２はサムネイル表示領域６１０が６つ設けられた表示状態を示すが、これに限定されるものではなく、サムネイル表示領域６１０が複数設けられればよい。また、本実施の形態において、黒色の背景画面となる無効画像データ６０２に無効画像マーク６０４が重畳された構成について説明するが、上述したように、無効画像データ６０２はいずれの表示形態のものが利用できる。
【００４４】
また、サムネイル一覧表示画面６００には、複数のテキストボックス６２１，６２２，６２３，６２４が設けられている。テキストボックス６２１は、情報処理装置４００に接続される記録装置、すなわち光ディスクドライブ２００あるいはＨＤＤ３００を表示する。すなわち、サムネイル画像６０１を一覧表示させる画像情報がいずれの記録装置に記録されているかを表示する。このテキストボックス６２１は、例えばカーソル６０３が位置する状態で、ＣＰＵ５００が別途認識した接続された記録装置がリスト表示され、いずれかが選択可能となっている。なお、テキストボックス６２１は、リスト表示する構成に限らず、別途入力操作部の入力操作にて設定された記録装置が表示される構成としてもよい。
【００４５】
また、テキストボックス６２２は、入力操作部の入力操作により移動されるカーソル６０３が位置するサムネイル表示領域６１０に表示されるサムネイル画像６０１あるいは無効画像データ６０２に対応する画像情報についての内容をテキスト表示したり、無効画像データ６０２が選択されている場合には「放送方式が異なり、表示できません」などのサムネイル画像６０１を表示できない旨のテキスト表示などをする。さらに、テキストボックス６２３は、カーソル６０３が位置するサムネイル表示領域６１０に対応する画像情報についてのタイトル情報をテキスト表示する。また、テキストボックス６２４は、テキストボックス６２１で表示される記録装置における記録可能な残量時間を表示する。この残量時間は、ＣＰＵ５００によりインターフェース４９０を介して認識される。
【００４６】
さらに、サムネイル一覧表示画面６００には、複数のコマンドボタン６３１，６３２が設けられている。コマンドボタン６３１は、例えば入力操作部の入力操作により選択・実行されることにより、カーソル６０３が位置するサムネイル表示領域６１０に表示されるサムネイル画像６０１に対応する画像情報を読み出して再生処理を実行させる。また、コマンドボタン６３２は、例えば入力操作部の入力操作により選択・実行されることにより、例えば他の機能を利用するためのメニュー画面などを表示させるために一覧表示を終了して従前に表示されている表示画面を表示させる。
【００４７】
〔再生装置の動作〕
次に、上述した再生装置１００の動作について図１などを参照して説明する。
（情報の記録処理）
まず、情報を記録する際の動作について説明する。情報を記録する際には、まず図示しない画像入力端末からアナログ信号として入力される入力画像情報Ｓｖｉｎを、ＣＰＵ５００の制御により画像デコーダ４１０においてデジタル信号に変換するとともにあらかじめ設定された復号処理を実施し、デジタル画像情報ＳｖｄとしてＡＶプロセッサ４６０へ出力する。また、図示しない音声入力端末からアナログ信号として入力される入力音楽情報Ｓａｉｎを、ＣＰＵ５００の制御によりＡ／Ｄコンバータ４２０においてデジタル信号に変換し、デジタル音楽情報ＳａｄとしてＡＶプロセッサ４６０へ出力する。
【００４８】
そして、ＡＶプロセッサ４６０は、画像デコーダ４１０から出力されるデジタル画像情報ＳｖｄおよびＡ／Ｄコンバータ４２０から出力されるデジタル音楽情報Ｓｐａを取得する。この後、ＡＶプロセッサ４６０は、メモリ信号Ｓｍ３としてメモリ４５１との間で必要な情報を授受するとともに、ＣＰＵ５００からの制御信号Ｓｃ４に基づいて、デジタル画像情報Ｓｖｄおよびデジタル音楽情報Ｓｐａに対してあらかじめ設定された前処理を実施し、それぞれ処理画像情報Ｓｐｖおよび処理音楽情報Ｓｐａとしてエンコーダ４７０へ出力する。また、ＡＶプロセッサ４６０は、ＣＰＵ５００からの制御信号Ｓｃ４に基づいて、処理画像情報Ｓｐｖからサムネイル画像情報を生成させ、処理画像情報Ｓｐｖに関連付けてエンコーダ４７０へ出力する。
【００４９】
さらに、エンコーダ４７０は、ＡＶプロセッサ４６０から出力される処理画像情報Ｓｐｖ、処理音楽情報Ｓｐａおよびサムネイル画像情報を取得する。そして、エンコーダ４７０は、メモリ信号Ｓｍ２としてメモリ４５２との間で必要な情報を授受するとともに、ＣＰＵ５００からの制御信号Ｓｃ２に基づいて、処理画像情報Ｓｐｖ、処理音楽情報Ｓｐａおよびサムネイル画像情報に対して必要な合成処理および定められたフォーマットに則った符号化処理などを実施し、合成情報Ｓｍとしてインターフェース４９０へ出力する。
【００５０】
そして、インターフェース４９０は、メモリ信号Ｓｍ１としてメモリ４５５との間で必要な情報を授受しつつ、入力操作部の入力操作にて設定された内容に基づくＣＰＵからの制御信号Ｓｃ１により、合成情報Ｓｍを記録情報ｐｄあるいは記録情報Ｓｄｄとして光ディスクドライブ２００あるいはＨＤＤ３００へ出力する。すなわち、光ディスクドライブ２００へ記録情報Ｓｐｄとして出力されることにより、記録情報Ｓｐｄが装着された光ディスクに光学的に記録される。また、ＨＤＤ３００へ記録情報Ｓｄｄとして出力されることにより、記録情報ＳｄｄがＨＤＤに磁気的に記録される。
【００５１】
（情報の再生処理）
次に、記録されている情報を再生する動作について図面を参照して説明する。図３は、サムネイル一覧表示画面を表示させる動作を示すフローチャートである。
【００５２】
まず、再生装置１００の電源が投入されることにより、情報処理装置４００のＣＰＵ５００はこの情報処理装置４００に接続されている各種機器を認識する。本実施の形態では、光ディスクドライブ２００およびＨＤＤ３００が接続されていることを認識する。さらに、ＣＰＵ５００は、あらかじめメモリ４５５に記憶されたメニュー画面を表示装置で表示させる制御をする。すなわち、ＣＰＵ５００は、メモリ４５５からメニュー画面に関する情報を取得するとともに制御信号Ｓｃ４をメニュー画面に関する情報とともにＡＶプロセッサ４６０に出力し、メニュー画面に関する情報を適宜処理させ、画像エンコーダ４３０を介して画像出力端子から表示装置へ出力させる。
【００５３】
そして、利用者である視聴者が表示装置に表示されるメニュー画面に基づいて入力操作部を適宜入力操作し、光ディスクドライブ２００およびＨＤＤ３００に記録されている情報を再生させるために、サムネイル画像の一覧表示を要求する旨の信号を出力させる。この入力操作部からの所定の信号をＣＰＵ５００が認識すると、ＣＰＵ５００は例えば図２に示すようなサムネイル一覧表示画面６００を表示させる図３に示すような処理をする。なお、本発明では、電源投入後に必ずしも自動的にメニュー画面を表示せず、例えば図２に示すようなサムネイル一覧表示画面６００を表示させるなどしてもよい。そして、この図２において、サムネイル一覧表示画面６００を、例えば利用者により頁送りなどの入力操作により、その画面での開始位置が変わるような構成としてもよい。
【００５４】
この図２に示すサムネイル一覧表示画面６００を表示させる図３に示すような処理として、ＣＰＵ５００は、まず光ディスクあるいはＨＤＤ３００に記憶されているタイトル毎の情報の数を認識する。さらに、ＣＰＵ５００は、サムネイル画像６０１を一覧表示させる一覧表示画面のサムネイル表示領域６１０の数を設定する。そして、ＣＰＵ５００は、図３に示すように、認識した数のサムネイル画像を取得したか否かを判断する（ステップＳ１）。
【００５５】
このステップＳ１において、所定の数のサムネイル画像を取得していないと判断した場合、所定の領域識別情報に対応してサムネイル画像情報を取得する（ステップＳ２）。すなわち、ＣＰＵ５００からの制御信号Ｓｃ１に基づいてインターフェース４９０を制御し、光ディスクドライブ２００の光ディスクあるいはＨＤＤ３００のＨＤに記録されたサムネイル画像情報を検索して取得する。なお、このサムネイル画像情報は、例えば初めの領域識別情報から順に記録装置に記録された時期が古いタイトル順に取得したり、記録した時期が新しいタイトル順に取得したり、読み取った順に取得したりするなどいずれの方法で取得することができる。そして、取得したサムネイル画像情報のサムネイル画像６０１が所定のデータ方式かを判断する。本実施の形態においては、走査線である表示ライン数情報を基にデータ方式の再を認識しており、所望のラインシステムであるＰＡＬ方式に基づく情報のサムネイル画像情報か否かを判断する（ステップＳ３）。
【００５６】
このステップＳ３において、取得したサムネイル画像情報のサムネイル画像６０１が所定のデータ方式であることを認識すると、このサムネイル画像情報をデコーダ４８０でＣＰＵ５００からの制御信号Ｓｃ３に基づいてデコード処理し、ＡＶプロセッサ４６０でＣＰＵ５００からの制御信号Ｓｃ４に基づいて後処理し、所定のサムネイル表示領域６１０にはめ込む状態に処理をし（ステップＳ４）、ステップＳ１に戻って、認識した数のサムネイル画像を取得する動作を繰り返す。なお、ステップＳ４におけるはめ込む処理は、後述するステップＳ７などにて実施するなど、別途実施することができる。また、サムネイル画像情報を直接読み取る構成の他、デコーダ４８０にて画像情報から所定の静止画像を選出して画像復号処理した後、サムネイル表示領域６１０に対応するサイズに静止画像を縮小編集してサムネイル画像を生成してはめ込む処理をしてもよい。
【００５７】
一方、ステップＳ３において取得したサムネイル画像６０１が所定のデータ方式ではないと判断した場合、ＡＶプロセッサ４６０でＣＰＵ５００からの制御信号Ｓｃ４に基づいて、サムネイル表示領域６１０内を例えば黒の背景色となる無効画像データ６０２をはめ込む処理をする（ステップＳ５）。ここで、ステップＳ５においては、無効画像データを生成して表示する処理を行っており、その都度において無効画像データを表示している。しかしながら、この無効画像データを都度表示せずに、このステップＳ５において無効画像データを生成した後に、例えばこの無効画像データ６０２がはめ込まれる表示領域６１０の領域識別情報をメモリ４５１に記憶し（ステップＳ６）し、後述するステップＳ７において最後にまとめて無効画像データを表示してもよい。
【００５８】
ステップＳ５の後は、再びステップＳ１に戻って、認識した数のサムネイル画像を取得する動作を繰り返す。なお、ステップＳ５において、その都度無効画像データを生成・表示する場合は、この後にステップＳ６は経ず、さらにはこのステップＳ７も不要となる。
【００５９】
そして、ステップＳ１において、認識した数のサムネイル画像６０１あるいは無効画像データ６０２を取得したことを認識すると、例えば図２に示すようにサムネイル一覧表示画面６００が表示される。なお、ステップＳ６でメモリ４５１に無効画像データを記憶しておいた場合には、その領域識別情報に基づいて無効画像データ６０２にメモリ４５５にあらかじめ記憶されている無効画像マーク６０４を重畳し、最後にまとめてサムネイル一覧表示画面６００に表示される（ステップＳ７）。なお、本実施の形態においては、所望とするラインシステムをＰＡＬ方式として説明したが、これに限定されず、この情報処理装置が使用される場所の使用環境に応じて適宜変更できる。例えばＮＴＳＣ方式を所望のラインシステムとし、ＰＡＬ方式に基づく情報のサムネイル画像については、これに代えて無効画像データを表示させてもよいことは言うまでもない。
【００６０】
そして、利用者は入力操作部を適宜操作し、視聴したいサムネイル画像６０１が表示されたサムネイル表示領域６１０にカーソル６０３を移動させ、コマンドボタン６３１を操作する。この操作により、ＣＰＵ５００はサムネイル表示領域６１０に表示されているサムネイル画像６０１のサムネイル画像情報が関連付く画像情報さらには音楽情報を認識する。そして、ＣＰＵ５００は、制御信号Ｓｃ１によりインターフェース４９０にて光ディスクドライブ２００あるいはＨＤＤ３００から記録情報Ｓｐｄあるいは記録情報Ｓｄｄとして取得する。この後、インターフェース４９０は、メモリ信号Ｓｍ１としてメモリ４５４との間で必要な情報を授受しつつＣＰＵ５００からの制御信号Ｓｃ１に基づいて取得した記録情報Ｓｐｄあるいは記録情報Ｓｄｄを再生情報Ｓｐとしてデコーダ４８０へ出力する。
【００６１】
さらに、デコーダ４８０は、メモリ信号Ｓｍ４としてメモリ４５３との間で必要な情報を授受しつつ、ＣＰＵ５００からの制御信号Ｓｃ３に基づいて、音楽情報と画像情報とを分離する分離処理や、画像情報および音楽情報をそれぞれ復号処理などのデコード処理をする。このデコード処理により生成した復号画像情報Ｓｖｐおよび復号音楽情報Ｓａｐは、ＡＶプロセッサ４６０へ出力される。この後、ＡＶプロセッサ４６０は、メモリ信号Ｓｍ３としてメモリ４５１との間で必要な情報を授受しつつ、ＣＰＵ５００からの制御信号Ｓｃ４に基づいて、復号画像情報Ｓｖｐおよび復号音楽情報Ｓａｐに対してあらかじめ設定された後処理をする。この後処理により生成した処理画像情報Ｓｖｄｄおよび処理音楽情報Ｓａｄｄは、画像エンコーダ４３０およびＤ／Ａコンバータ４４０へ出力される。
【００６２】
そして、画像エンコーダ４３０は、処理画像情報Ｓｖｄｄに対してあらかじめ設定されたフォーマット変換処理およびアナログ化処理などを実施し、画像出力端子からアナログ信号として出力画像情報Ｓｖｏｕｔを出力する。この画像出力端子から出力される出力画像情報Ｓｖｏｕｔが画像出力端子に接続された表示装置にて画像や映像として表示、すなわち再生される。また、Ｄ／Ａコンバータ４４０は、処理音楽情報Ｓａｄｄに対してアナログ化処理などを実施し、音楽出力端子からアナログ信号として出力音楽情報Ｓａｏｕｔとして出力する。この音楽出力端子から出力される出力音楽情報Ｓａｏｕｔが画像出力端子に接続された発音手段の増幅器にて増幅されスピーカから発音、すなわち再生される。なお、処理画像情報Ｓｖｄｄおよび処理音楽情報Ｓａｄｄは、再生するタイミングが一致する状態に同期して処理される。
【００６３】
〔再生装置の作用効果〕
上述したように、上記実施の形態では、光ディスクドライブ２００やＨＤＤ３００に記録されている画像情報や音楽情報に関連付けられたサムネイル画像情報を複数取得するとともに、これらサムネイル画像情報のデータ方式を判別し、いずれかのデータ方式のみのサムネイル画像情報を表示手段にて一覧表示させる。このため、取得した複数のサムネイル画像情報が異なるデータ方式であっても、サムネイル表示領域６１０に併せて走査線を間引くなどの特別な処理を実施する必要がなく、構成を簡略化でき、製造性の向上およびコストの低減が容易に図れる。
【００６４】
そして、光ディスクドライブ２００およびＨＤＤ３００を設けてこれらにサムネイル画像情報を記憶させておく。このため、一覧表示するまでの処理時間を短縮でき、円滑な一覧表示が得られる。さらに、これら光ディスクドライブ２００およびＨＤＤ３００で画像情報や音楽情報を記録情報Ｓｄｄ，Ｓｐｄとして記憶させる。このため、サムネイル画像情報に基づいて画像情報や音楽情報を取得して再生させるまでの処理時間を短縮でき、良好な再生が得られる。
【００６５】
また、入力操作部の入力操作にてカーソル６０３を移動させてサムネイル一覧表示画面６００のサムネイル表示領域６１０に表示されるサムネイル画像６０１を選択すると、インターフェース４９０にて光ディスクドライブ２００あるいはＨＤＤ３００から関連付けられた記録情報Ｓｄｄ，Ｓｐｄを取得し、デコーダ４８０、ＡＶプロセッサ４６０および画像エンコーダ４３０にて処理し、画像情報や音楽情報を表示装置や発音手段にて表示や発音として再生させる。このため、例えば画像情報の一部の静止画像に基づいてサムネイル画像６０１を生成する構成では、表示装置に特別な処理を実施することなくサムネイル画像６０１が表示されるので画像情報も特別な処理を実施することなく表示されることとなり、特別な処理をすることなく簡単な構成で再生できる画像情報を一覧表示にて容易に認識できる。
【００６６】
そして、サムネイル画像６０１として、画像情報の一部の静止画像に基づいて作成している。このため、サムネイル画像６０１が容易に生成できるとともに、画像情報との関連付けが容易にでき、データ処理効率を容易に向上できる。また、サムネイル画像６０１と画像情報とのデータ方式が同一となるので、サムネイル画像６０１が表示できる表示装置で画像情報も再生できるので、一覧表示されるサムネイル画像６０１のいずれかを選択して画像情報を再生する際の処理が容易にでき、円滑で迅速な良好な再生が得られる。
【００６７】
これに加えて、一覧表示されるサムネイル画像情報と異なるデータ方式のサムネイル画像情報は、無効画像データ６０２に代えて一覧表示させる。このため、サムネイル画像が表示されないタイトルについても光ディスクやＨＤなどに記録されていることを認識できる。また、サムネイル画像が画像情報に基づいて生成したものである場合には画像情報について表示できないデータ構造であることを容易に認識できる。
【００６８】
そしてさらに、サムネイル一覧表示画面６００には、カーソル６０３にて無効画像データ６０２が選択された場合に、例えば「放送方式が異なるために表示できない」などの表示ができない旨を表示するテキストボックス６２２を設けている。このため、単に黒色の背景画像となる無効画像データ６０２を表示させる場合でも、その表示の意味を容易に認識でき、使い勝手を向上できる。
【００６９】
また、無効画像データ６０２に表示ができない旨をより明確化するための無効画像マーク６０４を重畳する状態に設けている。このため、簡単な表示形態で容易に少ないデータ量で表示できない旨を認識させることができる。
【００７０】
そして、あらかじめタイトル数すなわち一覧表示させるサムネイル画像の数を認識し、この数に対応するサムネイル画像６０１あるいは無効画像データ６０２を取得し、認識した数に対応して設定したサムネイル一覧表示画面６００のサムネイル表示領域６１０にそれぞれ組み合わせて表示させている。このため、上述した無効画像マーク６０４を一括して重畳表示させる処理のように、無効画像データ６０２を一括して組み合わせたり、サムネイル一覧表示画面６００の背景が表示される状態に一括して透過処理したりするなど、一括した処理が容易にでき、処理効率の向上を容易に図ることができる。
【００７１】
また、無効画像データ６０２として、黒色の背景画像のような画像データをサムネイル表示領域６１０に表示させる構成としている。このため、あらかじめ無効画像データ６０２をメモリ４５１などに記憶させておき、データ方式が異なるものと判断した場合に無効画像データ６０２を読み出してサムネイル表示領域６１０に組み込めばよく、一覧表示までの処理時間を容易に短縮でき、良好な一覧表示ができる。さらには、単色でありデータ量が少なく、あらかじめ記憶しておく記憶領域を大きく確保する必要がなく、記憶領域の有効活用が容易に図れるとともに、無効画像データ６０２をあらかじめ作成しておく作業が容易にできる。また、無効画像データ６０２を組み合わせる処理としているため、画像情報が異なるデータ方式であることをあらかじめ認識しておけば、画像情報の一部の静止画像を用いてサムネイル画像情報を生成してサムネイル画像情報のデータ方式を認識する後処理などが必要なく、処理効率の向上が図れる。なお、画像情報の一部を用いてサムネイル画像情報を生成する構成、すなわち画像情報と同一のデータ方式でサムネイル画像情報を生成することで、サムネイル画像情報をデコーダ４８０にて分離する処理を実施することなく画像情報のデータ方式を認識することでサムネイル画像情報のデータ方式を間接的に判別することが容易にでき、迅速な処理ができる。
【００７２】
さらに、表示装置にて表示可能なデータ方式に対応するデータ方式のサムネイル画像６０１を一覧表示させている。このため、サムネイル一覧表示画面６００を構成した後に、さらに表示装置のデータ方式に対応させる処理を実施する必要がなく、処理効率を向上できる。また、表示装置にて表示させるデータ方式で確保されたサムネイル表示領域６１０にそのデータ方式と同一のデータ方式のサムネイル画像６０１を組み合わせる処理が容易で、処理効率を向上できる。
【００７３】
そして、データ方式として放送方式で認識することにより、同一の放送方式のサムネイル画像６０１が一覧表示されることとなり、例えば表示装置が表示可能な放送方式に対応した画像情報が読み取られることとなり、表示のための画像情報の処理が容易で良好な再生が得られる。
【００７４】
また、データ方式として走査線である表示ライン数情報を認識することで、データ方式の差異を容易に認識でき、処理効率の向上が容易に図れる。例えば、走査線の数が異なるＰＡＬ方式とＮＴＳＣ方式とに基づく情報のサムネイル一覧画面表示が容易に識別できる。
【００７５】
さらに、データ方式としてカラー信号などの色信号を認識することで、データ方式の差異を容易に認識でき、処理効率の向上が容易に図れる。例えば、走査線の数が等しいがデータ方式が異なるＰＡＬ方式とＳＥＣＡＭ方式とに基づく情報のサムネイル一覧画面表示が容易に識別できる。
【００７６】
そして、ＣＰＵ５００やＡＶプロセッサ４６０にプログラムとして各処理が実行可能に設定している。このため、プログラムを組み込む、さらにはプログラムを記録した記録媒体を用いることで、上記処理が容易に得られ、利用の拡大が容易に図れる。
【００７７】
〔実施形態の変形〕
なお、本発明は、上述した一実施の形態に限定されるものではなく、本発明の目的を達成できる範囲で以下に示される変形をも含むものである。
【００７８】
上述した実施の形態では、画像デコーダ４１０およびＡ／Ｄコンバータ４２０から取得した画像情報や音声データを適宜処理して記録するとともに、記録した画像情報や音声データを適宜読み出して再生処理して説明したが、例えば記録する構成を有さず、配信される情報を再生処理するシステム構成に適用してもよい。具体的には、例えば図４に示すように、サーバ装置や放送基地局などのホスト装置７００の送出手段７１０により、ホスト装置７００の記憶手段７２０に記録された異なるデータ方式の複数の画像情報を、ネットワーク８００へ送出させ、このネットワーク８００に送出された画像情報を端末装置である通信手段を備えた再生装置１００で取得し、この再生装置１００で再生対応するデータ方式のみのサムネイル画像６０１のみを一覧表示させ、再生対応していないデータ方式のサムネイル画像６０１は無効画像データ６０２を表示させる。そして、再生装置で一覧表示されるサムネイル画像６０１が選択されると、サーバ装置が対応するタイトルの画像情報や音声データなどを再生装置へ配信する構成が例示できる。
【００７９】
また、ホスト装置７００から画像情報や音楽情報などの情報として例えば映画の内容を要約した異なるデータ方式の短編情報をネットワーク８００を介して配信し、この短編情報に基づいて端末装置でサムネイル画像情報を生成させ、再生対応するサムネイル画像情報のみを一覧表示させる構成としてもよい。これらネットワーク８００を介して情報を配信して端末装置で取得するシステム構成の情報処理システム９００とすることで、端末装置に例えば光ディスクドライブ２００やＨＤＤ３００などの大きな記録領域を確保する必要がなくなり、端末装置の構成の簡略化が容易に図れ、最新の情報を広く配信できるので利用の拡大も容易に図れる。
【００８０】
なお、ネットワーク８００としては、端末装置およびホスト装置とを情報の送受信が可能な状態に接続する。例えば、ＴＣＰ／ＩＰなどの汎用のプロトコルに基づくインターネット、イントラネット、ＬＡＮ（Ｌｏｃａｌ  Ａｒｅａ  Ｎｅｔｗｏｒｋ）、無線媒体により情報が送受信可能な複数の基地局がネットワークを構成する通信回線網や放送網などのネットワーク、さらには、端末装置およびホスト装置間で情報を直接送受信するための媒体となる無線媒体自体などが例示できる。ここで、無線媒体としては、電波、光、音波、電磁波などのいずれの媒体をも適用できる。
【００８１】
また、取得した情報を記録する構成としては、光ディスクドライブ２００およびＨＤＤ３００を用いて説明したが、いずれか一方でもよい。さらには、これらに限らず、例えば記録媒体として光磁気（ＭＯ：ｍａｇｎｅｔｏ−ｏｐｔｉｃａｌ）ディスク、メモリカード、磁気テープ、ＩＣ（Ｉｎｔｅｇｒａｔｅｄ  Ｃｉｒｃｕｉｔ）カードなどが利用され、これら記録媒体に情報を記録あるいは読み取るドライブやドライバなどを用いることもできる。
【００８２】
そして、情報として、画像情報および音楽情報などの音声データを再生する構成について説明したが、文字データ、通信データ、アプリケーションソフトウェアや各種制御プログラム、あるいは各種機械の制御信号など、いずれの情報を対象とすることができる。また、情報の再生に限らず、情報を機能させるなど情報に応じたいずれの出力形態が対象となる。
【００８３】
さらに、特定画像データとしてのサムネイル画像情報としては、上述したように、画像情報の一部の静止画像に基づくものに限らず、新たに情報処理装置４００で合成したり、あらかじめ用意された専用のサムネイル画像情報を用いたりするなどしてもよい。また、無効画像データ６０２としては、黒色の背景色となる無効画像に無効画像マーク６０４を重畳させる構成に限らず、あらかじめ無効画像マーク６０４を有する１つの画像データとしたものを表示させてもよい。このような場合には、無効画像マーク６０４を重畳処理する必要がなく、処理効率の向上が図れる。なお、無効画像マーク６０４としてエクスクラメーションマークを用いて説明したが、例えば交通標識の注意を喚起するマークや駐車禁止を表すマークを用いたり、手などの禁止を意味するアイコンを用いたり、「表示不能」などの文字自体を用いたり、表示できない旨を容易に認識できるいずれのものも適用できる。
【００８４】
その他、無効画像データ６０２に無効画像マーク６０４を重畳表示させずにそのまま表示させてもよい。この構成では、無効画像データ６０２のデータ量が少なく、表示のための処理負荷が小さくできるとともに、メモリ４５１，４５５などにあらかじめ格納しておく場合には記憶領域を小さくでき、メモリ４５１，４５５の有効活用ができる。なお、黒色背景の無効画像データ６０２に限らず、他の色あるいはパターンを有したものなど、表示できない旨を認識させることができるいずれもの表示形態のものが適用できる。
【００８５】
さらには、無効画像データ６０２を用意せず、サムネイル表示領域６１０内の輝度や色相を制御して例えば青色背景となるように制御したり、サムネイル表示領域６１０内の透過度を制御してサムネイル一覧表示画面６００の背景画面が表示されるように制御したりするなど、表示装置で表示できない旨を認識させることが可能ないずれの方法を用いることができる。そして、無効画像データ６０２を用いない構成では、無効画像データ６０２を記憶しておく記憶領域を設ける必要がなく、記憶領域の有効活用ができるとともに、無効画像データ６０２をあらかじめ生成・記憶させる処理が不要となり作業性を向上できる。さらには、無効画像データ６０２を読み出してサムネイル表示領域６１０に組み合わせる処理が必要なく、単にサムネイル表示領域６１０内を制御するのみでよく、処理効率の向上が容易に図れる。
【００８６】
また、光ディスクやＨＤに記録した画像情報や音楽情報を再生する際にサムネイル画像６０１を一覧表示して説明したが、例えば記録した画像情報や音楽情報を編集するためにサムネイル画像６０１を一覧表示させたり、記録された内容を確認するために一覧表示させたりするなど、再生時に限らず、いずれのタイミングで実施できる。
【００８７】
そして、演算手段としてのコンピュータに読み取り可能なプログラムとし、コンピュータに装着された記録媒体に記録された情報を上述したように再生させるなど出力可能に処理させるようにコンピュータを動作させるなど、いずれの装置形態でも適用できる。さらには、表示装置や発音手段を一体的に備えたテレビジョン装置としたり、光ディスクドライブ２００やＨＤＤ３００を一体に備えた装置、さらに全てを一体に備えた装置構成などとしてもよい。そして、本発明における演算手段としては、例えば１つのパーソナルコンピュータ、複数のコンピュータをネットワーク状に組み合わせた構成、マイクロコンピュータなどの素子、あるいは複数の電子部品が搭載された回路基板などをも含む。
【００８８】
本発明は、上述した一実施の形態および実施形態の変形のみに限ることなく、その他、本発明の目的を逸脱しない範囲で様々な応用が可能である。
【００８９】
〔実施の形態の効果〕
上述したように、上記実施の形態では、光ディスクやＨＤＤ３００に記録されている画像情報や音楽情報などの情報に関連付けられたサムネイル画像情報を複数取得するとともに、これらサムネイル画像情報のデータ方式を判別し、いずれかのデータ方式のみのサムネイル画像情報を表示手段にて一覧表示させ、一覧表示されるサムネイル画像情報と異なるデータ方式のサムネイル画像情報は、無効画像データに変えて一覧表示させる。このため、サムネイル画像が表示されないタイトルについても光ディスクやＨＤＤ３００などに記録されていることを認識できる。また、取得した複数のサムネイル画像情報が異なるデータ方式であっても、例えばサムネイル表示領域６１０に併せて走査線を間引くなどの特別な処理を実施する必要がなく、構成を簡略化できる。
【００９０】
また、上記実施の形態では、画像情報や音楽情報などの情報を取得し、情報の内容を表し情報のデータ方式と同一のサムネイル画像情報を生成し、このサムネイル画像データのデータ方式を判別し、いずれかのデータ方式のみのサムネイル画像情報のみを表示手段にて一覧表示させるため、取得した複数の画像情報が異なるデータ方式であっても、例えば一覧表示させる同一のデータ方式のサムネイル画像をサムネイル表示領域６１０に併せて走査線を間引くなどの特別な処理を実施する必要がなく、構成を簡略化できる。
【図面の簡単な説明】
【図１】本発明の一実施の形態に係る再生装置の概略構成を示すブロック図である。
【図２】前記一実施の形態におけるサムネイル一覧表示画面の表示形態を示す概念図である。
【図３】前記一実施の形態におけるサムネイル画像の一覧表示処理を示すフローチャートである。
【図４】本発明の他の実施の形態に係る情報処理システムの概略構成を示すブロック図である。
【符号の説明】
１００    端末装置としても機能する再生装置
２００    記憶手段としての光ディスクドライブ
３００    記憶手段としてのＨＤＤ
４００    情報処理装置
４１０    情報取得手段およびデータ方式判別手段としても機能する画像デコーダ
４６０    特定画像データ生成手段、一覧表示制御手段、表示領域設定手段および置換手段としても機能するＡＶ（Ａｕｄｉｏ−Ｖｉｄｅｏ）プロセッサ
４８０    特定画像データ取得手段としても機能するデコーダ
４９０    特定画像データ取得手段および情報取得手段として機能するインターフェース
５００    一覧表示制御手段、画像数認識手段および演算手段としても機能するＣＰＵ
７００    ホスト装置
７１０    送出手段
７２０    記憶手段
８００    ネットワーク
９００    情報処理システム
【図１】
2005070858.tif 000003
【図２】
2005070858.tif 000004
【図３】
2005070858.tif 000005
【図４】
2005070858.tif 000006